(57)【特許請求の範囲】
【請求項１】
無線ネットワークコントローラと、この無線ネットワークコントローラに有線で接続され、サービスエリアを有するノードと、このノードのサービスエリア内において前記ノードと無線で通信を行うユーザエクイップメントとを有する移動システムに使用される目標ＳＩＲ更新方法であって、前記移動システムにおいては送信電力制御として上りイナーループ電力制御及び上りアウターループ電力制御が実行され、前記ノードは、前記移動システムにおいて前記上りイナーループ電力制御が実行される際に使用される目標ＳＩＲ（Ｓｉｇｎａｌ  ｔｏ  Ｉｎｔｅｒｆｅｒｅｎｃｅ  Ｒａｔｉｏ）を有し、前記目標ＳＩＲ更新方法は、前記上りアウターループ電力制御として実行され、前記目標ＳＩＲを更新するためのものである前記目標ＳＩＲ更新方法において、
セットされてから予め選択された時間計時するとタイムアウト信号を出力するウエイトタイマーを、前記無線ネットワークコントローラに設けるステップと、前記無線ネットワークコントローラが前記ノードから該ノードの周りの無線状態を示すレポートを、前記ウエイトタイマーが前記タイムアウト信号を出力する以前に受け取ったか否かを、前記無線ネットワークコントローラにおいて判断するステップと、
前記無線ネットワークコントローラが前記ノードから前記レポートを、前記ウエイトタイマーが前記タイムアウト信号を出力する以前に受け取ったと、前記無線ネットワークコントローラが判断したとき、該無線ネットワークコントローラにおいて前記レポートに基づいて前記目標ＳＩＲを新しい目標ＳＩＲに更新するステップと、
前記目標ＳＩＲが前記新しい目標ＳＩＲに更新されたとき、前記無線ネットワークコントローラにおいて前記ウエイトタイマーを再びセットするステップと、前記無線ネットワークコントローラが前記ノードから前記レポートを、前記ウエイトタイマーが前記タイムアウト信号を出力したときに、未だ受け取っていないと、前記無線ネットワークコントローラが判断したとき、該無線ネットワークコントローラにおいて前記目標ＳＩＲを所定値だけ減少された目標ＳＩＲに減少させるステップと、
前記目標ＳＩＲが前記減少された目標ＳＩＲに減少されたとき、前記無線ネットワークコントローラにおいて前記ウエイトタイマーを再びセットするステップとを含むことを特徴とする目標ＳＩＲ更新方法。
【請求項２】
請求項１に記載の目標ＳＩＲ更新方法において、
前記レポートは、前記ノードの周りの無線状態として、前記ノードが一定の期間前記ユーザエクイップメントからの上り信号のブロック・エラー・レシオ（Ｂｌｏｃｋ  Ｅｒｒｏｒ  Ｒａｔｉｏ）を測定した測定結果を表わしていることを特徴とする目標ＳＩＲ更新方法。
【請求項３】
請求項１に記載の目標ＳＩＲ更新方法において、
前記上りイナーループ電力制御は、前記移動システムにおいて、
前記ユーザエクイップメントが、該ユーザエクイップメントのための上り専用物理制御チャネルを用いて、信号を前記ノードに送信し、
前記ノードが、前記信号を前記上り専用物理制御チャネルから希望波として受信すると共に、他チャンネルから干渉波を受信し、
前記ノードが、前記希望波の電力の前記干渉波の電力に対する比を、測定ＳＩＲとして測定し、
前記ノードが、該測定ＳＩＲを、その時点の目標ＳＩＲである、前記目標ＳＩＲ、前記新しい目標ＳＩＲ、及び前記減少された目標ＳＩＲの一つに比較し、前記測定ＳＩＲが前記目標ＳＩＲ、前記新しい目標ＳＩＲ、及び前記減少された目標ＳＩＲの前記一つより小さい時は、前記信号の送信電力を上げさせるインクレメントコマンドを、前記ユーザエクイップメントのための下り専用物理制御チャネルを用いて前記ユーザエクイップメントに送信し、前記測定ＳＩＲが前記目標ＳＩＲ、前記新しい目標ＳＩＲ、及び前記減少された目標ＳＩＲの前記一つより大きい時は、前記信号の送信電力を下げさせるデクレメントコマンドを、前記ユーザエクイップメントのための下り専用物理制御チャネルを用いて前記ユーザエクイップメントに送信することによって、実行されることを特徴とする目標ＳＩＲ更新方法。
【請求項４】
請求項３に記載の目標ＳＩＲ更新方法において、
前記レポートは、前記ノードの周りの無線状態として、前記ノードが一定の期間前記ユーザエクイップメントからの上り信号のブロック・エラー・レシオ（Ｂｌｏｃｋ  Ｅｒｒｏｒ  Ｒａｔｉｏ）を測定した測定結果を表わしていることを特徴とする目標ＳＩＲ更新方法。
【請求項５】
無線ネットワークコントローラと、この無線ネットワークコントローラに有線で接続され、サービスエリアを有するノードと、このノードのサービスエリア内において前記ノードと無線で通信を行うユーザエクイップメントとを有する移動システムに使用される目標ＳＩＲ更新方法であって、前記移動システムにおいては送信電力制御として上りイナーループ電力制御及び上りアウターループ電力制御が実行され、前記ノードは、前記移動システムにおいて前記上りイナーループ電力制御が実行される際に使用される目標ＳＩＲ（Ｓｉｇｎａｌ  ｔｏ  Ｉｎｔｅｒｆｅｒｅｎｃｅ  Ｒａｔｉｏ）を有し、前記目標ＳＩＲ更新方法は、前記上りアウターループ電力制御として実行され、前記目標ＳＩＲを更新するためのものである前記目標ＳＩＲ更新方法において、
セットされてから予め選択された時間計時するとタイムアウト信号を出力するウエイトタイマーを、前記無線ネットワークコントローラに設けるステップと、前記無線ネットワークコントローラが前記ノードから該ノードの周りの無線状態を示すレポートを、前記ウエイトタイマーが前記タイムアウト信号を出力する以前に受け取ったか否かを、前記無線ネットワークコントローラにおいて判断するステップと、
前記無線ネットワークコントローラが前記ノードから前記レポートを、前記ウエイトタイマーが前記タイムアウト信号を出力する以前に受け取ったと、前記無線ネットワークコントローラが判断したとき、該無線ネットワークコントローラにおいて前記レポートに基づいて新しい目標ＳＩＲを算出するステップと、
前記新しい目標ＳＩＲを前記無線ネットワークコントローラから前記ノードへ送信し、前記ノードに前記目標ＳＩＲを前記新しい目標ＳＩＲに更新させるステップと、
前記目標ＳＩＲが前記新しい目標ＳＩＲに更新されたとき、前記無線ネットワークコントローラにおいて前記ウエイトタイマーを再びセットするステップと、前記無線ネットワークコントローラが前記ノードから前記レポートを、前記ウエイトタイマーが前記タイムアウト信号を出力したときに、未だ受け取っていないことを、前記無線ネットワークコントローラが判断したとき、該無線ネットワークコントローラにおいて前記目標ＳＩＲを所定値だけ減少された目標ＳＩＲに減少させるステップと、
前記目標ＳＩＲが前記減少された目標ＳＩＲに減少されたとき、前記無線ネットワークコントローラにおいて前記ウエイトタイマーを再びセットするステップとを含むことを特徴とする目標ＳＩＲ更新方法。
【請求項６】
請求項５に記載の目標ＳＩＲ更新方法において、
前記レポートは、前記ノードの周りの無線状態として、前記ノードにおいて、一定の期間前記ユーザエクイップメントからの上り信号のブロック・エラー・レシオ（Ｂｌｏｃｋ  Ｅｒｒｏｒ  Ｒａｔｉｏ）を測定することによって得られた測定結果を表わしていることを特徴とする目標ＳＩＲ更新方法。
【請求項７】
請求項５に記載の目標ＳＩＲ更新方法において、
前記上りイナーループ電力制御は、前記移動システムにおいて、
前記ユーザエクイップメントが、該ユーザエクイップメントのための上り専用物理制御チャネルを用いて、信号を前記ノードに送信し、
前記ノードが、前記信号を前記上り専用物理制御チャネルから希望波として受信すると共に、他チャンネルから干渉波を受信し、
前記ノードが、前記希望波の電力の前記干渉波の電力に対する比を、測定ＳＩＲとして測定し、
前記ノードが、該測定ＳＩＲを、その時点の目標ＳＩＲである、前記目標ＳＩＲ、前記新しい目標ＳＩＲ、及び前記減少された目標ＳＩＲの一つに比較し、前記測定ＳＩＲが前記目標ＳＩＲ、前記新しい目標ＳＩＲ、及び前記減少された目標ＳＩＲの前記一つより小さい時は、前記信号の送信電力を上げさせるインクレメントコマンドを、前記ユーザエクイップメントのための下り専用物理制御チャネルを用いて前記ユーザエクイップメントに送信し、前記測定ＳＩＲが前記目標ＳＩＲ、前記新しい目標ＳＩＲ、及び前記減少された目標ＳＩＲの前記一つより大きい時は、前記信号の送信電力を下げさせるデクレメントコマンドを、前記ユーザエクイップメントのための下り専用物理制御チャネルを用いて前記ユーザエクイップメントに送信することによって、実行されることを特徴とする目標ＳＩＲ更新方法。
【請求項８】
請求項７に記載の目標ＳＩＲ更新方法において、
前記レポートは、前記ノードの周りの無線状態として、前記ノードが一定の期間前記ユーザエクイップメントからの上り信号のブロック・エラー・レシオ（Ｂｌｏｃｋ  Ｅｒｒｏｒ  Ｒａｔｉｏ）を測定した測定結果を表わしていることを特徴とする目標ＳＩＲ更新方法。
【発明の詳細な説明】
【０００１】
【発明の属する技術分野】
本発明は、第３世代移動体システムにおいて送信電力制御の一部として実行される上りアウターループ電力制御の実現方法に関するものである。
【０００２】
【従来の技術】
上りイナーループ電力制御（ＵＬ  ＩＮＮＥＲ  ＬＯＯＰ  ＰＯＷＥＲ  ＣＯＮＴＲＯＬ）及び上りアウターループ電力制御（Ｕｐｌｉｎｋ  Ｏｕｔｅｒ  Ｌｏｏｐ  Ｐｏｗｅｒ  Ｃｏｎｔｒｏｌ）は、第３世代（３Ｇ）移動体システムにおいて送信電力制御として実行される。上りイナーループ電力制御及び上りアウターループ電力制御については、３Ｇ  ＴＳ２５．４０１  ＵＴＲＡＮ  Ｏｖｅｒａｌｌ  Ｄｅｓｃｒｉｐｔｉｏｎにて概要が定義されている。
【０００３】
第３世代移動システムは、一般に、無線ネットワークコントローラと、この無線ネットワークコントローラに有線で接続されたノードと、典型的には移動局であるユーザエクイップメントとを有する。ノードは典型的には基地局であり、サービスエリアを有する。ユーザエクイップメントは、ノードのサービスエリア内において、ノードと無線で通信できる。
【０００４】
第３世代移動システムでは、無線上の干渉を押え、通信品質を確保するため、前述の上りイナーループ電力制御（ＵＬ  ＩＮＮＥＲ  ＬＯＯＰ  ＰＯＷＥＲ  ＣＯＮＴＲＯＬ）及び上りアウターループ電力制御（Ｕｐｌｉｎｋ  Ｏｕｔｅｒ  Ｌｏｏｐ  Ｐｏｗｅｒ  Ｃｏｎｔｒｏｌ）が送信電力制御として行われている。
【０００５】
上りイナーループ電力制御では、まず、ユーザエクイップメントは、当該ユーザエクイップメントのための上り専用物理制御チャネル（ｕｐｌｉｎｋ  ｄｅｄｉｃａｔｅｄ  ｐｈｙｓｉｃａｌ  ｃｏｎｔｒｏｌ  ｃｈａｎｎｅｌ）を用いて、信号をノードに送信する。ノードは、その信号をその上り専用物理制御チャネルから希望波として受信する。この際、ノードは、他のチャネルから干渉波を不可避的に受信してしまう。ノードは、前記信号を受信すると、前記希望波の電力の前記干渉波の電力に対する比を、測定ＳＩＲ（Ｓｉｇｎａｌ  ｔｏ  Ｉｎｔｅｒｆｅｒｅｎｃｅ  Ｒａｔｉｏ）として測定し、測定ＳＩＲを、目標ＳＩＲと呼ばれる基準値に比較する。ノードは、測定ＳＩＲが目標ＳＩＲより小さい時は、前記信号の送信電力を上げさせるインクレメントコマンドを、前記ユーザエクイップメントのための下り専用物理制御チャネル（ｄｏｗｎｌｉｎｋ  ｄｅｄｉｃａｔｅｄ  ｐｈｙｓｉｃａｌ  ｃｏｎｔｒｏｌ  ｃｈａｎｎｅｌ）を用いて、前記ユーザエクイップメントに送信し、前記ユーザエクイップメントに前記信号の送信電力を上げさせる。ノードは、また、測定ＳＩＲが目標ＳＩＲより所定値だけ大きい時（すなわち、測定ＳＩＲが目標ＳＩＲを過剰に超えている時）は、前記信号の送信電力を下げさせるデクレメントコマンドを、前記ユーザエクイップメントのための下り専用物理制御チャネルを用いて、前記ユーザエクイップメントに送信し、前記ユーザエクイップメントに前記信号の送信電力を下げさせる。
【０００６】
【発明が解決しようとする課題】
上りアウターループ電力制御では、無線ネットワークコントローラが、前記ノードが持っている目標ＳＩＲを、新しい基準値（新しい目標ＳＩＲ）に、更新する。前記ノードの目標ＳＩＲを更新するためには、無線ネットワークコントローラは、前記ノードから送信されるレポートを受信することによって、ノードの周りの無線状態を知る必要がある。該レポートは、無線状態が過剰品質（すなわち、品質が良すぎる状態、品質が過剰である状態のこと）であるか、或いは劣化品質（すなわち、品質が劣化している状態のこと）を表わしている。そのレポートを生成するためには、ノードは、一定の期間、前記ユーザエクイップメントからの上り信号のブロック・エラー・レシオ（ＢＬＥＲ：Ｂｌｏｃｋ  Ｅｒｒｏｒ  Ｒａｔｉｏ）を測定しなければならない。ノードは、そのブロック・エラー・レシオ（ＢＬＥＲ）の測定結果を前記レポートとして無線ネットワークコントローラに送信し、無線ネットワークコントローラは、そのレポートに従って、前記ノードの目標ＳＩＲを、新しい目標ＳＩＲに、更新する。しかしながら、ノードの周りの無線状態は、時間と共に変化する。無線状態は、無線ネットワークコントローラがノードから受信したレポートに従って前記ノードの目標ＳＩＲを新しい目標ＳＩＲに更新する時には、既に違う状態になっている可能性がある。
【０００７】
特に、ノードにおいて、無線状態が過剰品質と判断するためには、測定のための時間がかかってしまうという問題がある。無線状態が品質過剰と判断するためには、特定の測定数だけ測定しないと品質過剰しきい値と比較し判断することができない。
【０００８】
本発明の課題は、予め選択された時間、ノードの基準値（目標ＳＩＲ）の更新が行われなかった場合には自立的に基準値（目標ＳＩＲ）を細かい刻みで更新することで、様々な無線環境（無線状態）にも対応できるようにした目標ＳＩＲ更新方法を提供することにある。
【０００９】
本発明の他の課題は説明が進むにつれて明らかとなろう。
【００１０】
【課題を解決するための手段】
本発明による目標ＳＩＲ更新方法は、以下のとおりである。
【００１１】
（１）  無線ネットワークコントローラと、この無線ネットワークコントローラに有線で接続され、サービスエリアを有するノードと、このノードのサービスエリア内において前記ノードと無線で通信を行うユーザエクイップメントとを有する移動システムに使用される目標ＳＩＲ更新方法であって、前記移動システムにおいては送信電力制御として上りイナーループ電力制御及び上りアウターループ電力制御が実行され、前記ノードは、前記移動システムにおいて前記上りイナーループ電力制御が実行される際に使用される目標ＳＩＲ（Ｓｉｇｎａｌ  ｔｏ  Ｉｎｔｅｒｆｅｒｅｎｃｅ  Ｒａｔｉｏ）を有し、前記目標ＳＩＲ更新方法は、前記上りアウターループ電力制御として実行され、前記目標ＳＩＲを更新するためのものである前記目標ＳＩＲ更新方法において、
セットされてから予め選択された時間計時するとタイムアウト信号を出力するウエイトタイマーを、前記無線ネットワークコントローラに設けるステップと、前記無線ネットワークコントローラが前記ノードから該ノードの周りの無線状態を示すレポートを、前記ウエイトタイマーが前記タイムアウト信号を出力する以前に受け取ったか否かを、前記無線ネットワークコントローラにおいて判断するステップと、
前記無線ネットワークコントローラが前記ノードから前記レポートを、前記ウエイトタイマーが前記タイムアウト信号を出力する以前に受け取ったと、前記無線ネットワークコントローラが判断したとき、該無線ネットワークコントローラにおいて前記レポートに基づいて前記目標ＳＩＲを新しい目標ＳＩＲに更新するステップと、
前記目標ＳＩＲが前記新しい目標ＳＩＲに更新されたとき、前記無線ネットワークコントローラにおいて前記ウエイトタイマーを再びセットするステップと、前記無線ネットワークコントローラが前記ノードから前記レポートを、前記ウエイトタイマーが前記タイムアウト信号を出力したときに、未だ受け取っていないと、前記無線ネットワークコントローラが判断したとき、該無線ネットワークコントローラにおいて前記目標ＳＩＲを所定値だけ減少された目標ＳＩＲに減少させるステップと、
前記目標ＳＩＲが前記減少された目標ＳＩＲに減少されたとき、前記無線ネットワークコントローラにおいて前記ウエイトタイマーを再びセットするステップとを含むことを特徴とする目標ＳＩＲ更新方法。
【００１２】
（２）  上記（１）に記載の目標ＳＩＲ更新方法において、
前記レポートは、前記ノードの周りの無線状態として、前記ノードが一定の期間前記ユーザエクイップメントからの上り信号のブロック・エラー・レシオ（Ｂｌｏｃｋ  Ｅｒｒｏｒ  Ｒａｔｉｏ）を測定した測定結果を表わしていることを特徴とする目標ＳＩＲ更新方法。
【００１３】
（３）  上記（１）に記載の目標ＳＩＲ更新方法において、
前記上りイナーループ電力制御は、前記移動システムにおいて、
前記ユーザエクイップメントが、該ユーザエクイップメントのための上り専用物理制御チャネルを用いて、信号を前記ノードに送信し、
前記ノードが、前記信号を前記上り専用物理制御チャネルから希望波として受信すると共に、他チャンネルから干渉波を受信し、
前記ノードが、前記希望波の電力の前記干渉波の電力に対する比を、測定ＳＩＲとして測定し、
前記ノードが、該測定ＳＩＲを、その時点の目標ＳＩＲである、前記目標ＳＩＲ、前記新しい目標ＳＩＲ、及び前記減少された目標ＳＩＲの一つに比較し、前記測定ＳＩＲが前記目標ＳＩＲ、前記新しい目標ＳＩＲ、及び前記減少された目標ＳＩＲの前記一つより小さい時は、前記信号の送信電力を上げさせるインクレメントコマンドを、前記ユーザエクイップメントのための下り専用物理制御チャネルを用いて前記ユーザエクイップメントに送信し、前記測定ＳＩＲが前記目標ＳＩＲ、前記新しい目標ＳＩＲ、及び前記減少された目標ＳＩＲの前記一つより大きい時は、前記信号の送信電力を下げさせるデクレメントコマンドを、前記ユーザエクイップメントのための下り専用物理制御チャネルを用いて前記ユーザエクイップメントに送信することによって、実行されることを特徴とする目標ＳＩＲ更新方法。
【００１４】
（４）  上記（３）に記載の目標ＳＩＲ更新方法において、
前記レポートは、前記ノードの周りの無線状態として、前記ノードが一定の期間前記ユーザエクイップメントからの上り信号のブロック・エラー・レシオ（Ｂｌｏｃｋ  Ｅｒｒｏｒ  Ｒａｔｉｏ）を測定した測定結果を表わしていることを特徴とする目標ＳＩＲ更新方法。
【００１５】
（５）  無線ネットワークコントローラと、この無線ネットワークコントローラに有線で接続され、サービスエリアを有するノードと、このノードのサービスエリア内において前記ノードと無線で通信を行うユーザエクイップメントとを有する移動システムに使用される目標ＳＩＲ更新方法であって、前記移動システムにおいては送信電力制御として上りイナーループ電力制御及び上りアウターループ電力制御が実行され、前記ノードは、前記移動システムにおいて前記上りイナーループ電力制御が実行される際に使用される目標ＳＩＲ（Ｓｉｇｎａｌ  ｔｏ  Ｉｎｔｅｒｆｅｒｅｎｃｅ  Ｒａｔｉｏ）を有し、前記目標ＳＩＲ更新方法は、前記上りアウターループ電力制御として実行され、前記目標ＳＩＲを更新するためのものである前記目標ＳＩＲ更新方法において、
セットされてから予め選択された時間計時するとタイムアウト信号を出力するウエイトタイマーを、前記無線ネットワークコントローラに設けるステップと、前記無線ネットワークコントローラが前記ノードから該ノードの周りの無線状態を示すレポートを、前記ウエイトタイマーが前記タイムアウト信号を出力する以前に受け取ったか否かを、前記無線ネットワークコントローラにおいて判断するステップと、
前記無線ネットワークコントローラが前記ノードから前記レポートを、前記ウエイトタイマーが前記タイムアウト信号を出力する以前に受け取ったと、前記無線ネットワークコントローラが判断したとき、該無線ネットワークコントローラにおいて前記レポートに基づいて新しい目標ＳＩＲを算出するステップと、
前記新しい目標ＳＩＲを前記無線ネットワークコントローラから前記ノードへ送信し、前記ノードに前記目標ＳＩＲを前記新しい目標ＳＩＲに更新させるステップと、
前記目標ＳＩＲが前記新しい目標ＳＩＲに更新されたとき、前記無線ネットワークコントローラにおいて前記ウエイトタイマーを再びセットするステップと、前記無線ネットワークコントローラが前記ノードから前記レポートを、前記ウエイトタイマーが前記タイムアウト信号を出力したときに、未だ受け取っていないことを、前記無線ネットワークコントローラが判断したとき、該無線ネットワークコントローラにおいて前記目標ＳＩＲを所定値だけ減少された目標ＳＩＲに減少させるステップと、
前記目標ＳＩＲが前記減少された目標ＳＩＲに減少されたとき、前記無線ネットワークコントローラにおいて前記ウエイトタイマーを再びセットするステップとを含むことを特徴とする目標ＳＩＲ更新方法。
【００１６】
（６）  上記（５）に記載の目標ＳＩＲ更新方法において、
前記レポートは、前記ノードの周りの無線状態として、前記ノードにおいて、一定の期間前記ユーザエクイップメントからの上り信号のブロック・エラー・レシオ（Ｂｌｏｃｋ  Ｅｒｒｏｒ  Ｒａｔｉｏ）を測定することによって得られた測定結果を表わしていることを特徴とする目標ＳＩＲ更新方法。
【００１７】
（７）  上記（５）に記載の目標ＳＩＲ更新方法において、
前記上りイナーループ電力制御は、前記移動システムにおいて、
前記ユーザエクイップメントが、該ユーザエクイップメントのための上り専用物理制御チャネルを用いて、信号を前記ノードに送信し、
前記ノードが、前記信号を前記上り専用物理制御チャネルから希望波として受信すると共に、他チャンネルから干渉波を受信し、
前記ノードが、前記希望波の電力の前記干渉波の電力に対する比を、測定ＳＩＲとして測定し、
前記ノードが、該測定ＳＩＲを、その時点の目標ＳＩＲである、前記目標ＳＩＲ、前記新しい目標ＳＩＲ、及び前記減少された目標ＳＩＲの一つに比較し、前記測定ＳＩＲが前記目標ＳＩＲ、前記新しい目標ＳＩＲ、及び前記減少された目標ＳＩＲの前記一つより小さい時は、前記信号の送信電力を上げさせるインクレメントコマンドを、前記ユーザエクイップメントのための下り専用物理制御チャネルを用いて前記ユーザエクイップメントに送信し、前記測定ＳＩＲが前記目標ＳＩＲ、前記新しい目標ＳＩＲ、及び前記減少された目標ＳＩＲの前記一つより大きい時は、前記信号の送信電力を下げさせるデクレメントコマンドを、前記ユーザエクイップメントのための下り専用物理制御チャネルを用いて前記ユーザエクイップメントに送信することによって、実行されることを特徴とする目標ＳＩＲ更新方法。
【００１８】
（８）  上記（７）に記載の目標ＳＩＲ更新方法において、
前記レポートは、前記ノードの周りの無線状態として、前記ノードが一定の期間前記ユーザエクイップメントからの上り信号のブロック・エラー・レシオ（Ｂｌｏｃｋ  Ｅｒｒｏｒ  Ｒａｔｉｏ）を測定した測定結果を表わしていることを特徴とする目標ＳＩＲ更新方法。
【００１９】
【発明の実施の形態】
次に本発明の実施例について図面を参照して説明する。
【００２０】
図１を参照すると、本発明の一実施例による目標ＳＩＲ更新方法を実施する第３世代移動システムが示されている。この第３世代移動システムは、無線ネットワークコントローラＲＮＣと、ノードＮＯＤＥＢ＃１と、ユーザエクイップメントＵＥとを有する。
【００２１】
ノードＮＯＤＥＢ＃１は、典型的には基地局であり、無線ネットワークコントローラＲＮＣに有線（信号伝送線）で接続されている。ノードＮＯＤＥＢ＃１は、サービスエリアＳＡ＃１を有する。
【００２２】
ユーザエクイップメントＵＥは、典型的には移動局である。ユーザエクイップメントＵＥは、ノードＮＯＤＥＢ＃１のサービスエリアＳＡ＃１内において、ノードＮＯＤＥＢ＃１と無線で通信できる。
【００２３】
典型的には別の移動局である別のノードＮＯＤＥＢ＃２も、無線ネットワークコントローラＲＮＣに有線（信号伝送線）で接続されている。ユーザエクイップメントＵＥが別のノードＮＯＤＥＢ＃２のサービスエリアＳＡ＃２内に移動した時は、ユーザエクイップメントＵＥはノードＮＯＤＥＢ＃２と無線で通信できる。
【００２４】
第３世代移動システムでは、無線上の干渉を押え、通信品質を確保するため、送信電力制御が行われている。
【００２５】
図２を参照して、図１の第３世代移動システムにおいて送信電力制御として実行される、上りイナーループ電力制御（ＵＬ  ＩＮＮＥＲ  ＬＯＯＰ  ＰＯＷＥＲ  ＣＯＮＴＲＯＬ）及び上りアウターループ電力制御（Ｕｐｌｉｎｋ  Ｏｕｔｅｒ  Ｌｏｏｐ  Ｐｏｗｅｒ  Ｃｏｎｔｒｏｌ）について説明する。
【００２６】
上りイナーループ電力制御では、ユーザエクイップメントＵＥは、ユーザエクイップメントＵＥのための上り専用物理制御チャネル（ｕｐｌｉｎｋ  ｄｅｄｉｃａｔｅｄ  ｐｈｙｓｉｃａｌ  ｃｏｎｔｒｏｌ  ｃｈａｎｎｅｌ）を用いて、信号をノードＮＯＤＥＢ＃１に送信する。ノードＮＯＤＥＢ＃１は、その信号をその上り専用物理制御チャネルから希望波として受信する。この際、ノードＮＯＤＥＢ＃１は、他のチャネルから干渉波を不可避的に受信してしまう。ノードＮＯＤＥＢ＃１は、前記信号を受信すると、前記希望波の電力の前記干渉波の電力に対する比を、測定ＳＩＲ（Ｓｉｇｎａｌ  ｔｏ  Ｉｎｔｅｒｆｅｒｅｎｃｅ  Ｒａｔｉｏ）として測定する。公知のように、その比は、通常、Ｅｂ／Ｉｏと表わされる。ここで、Ｅｂは、希望波の電力を表わし、Ｉｏは、干渉波の電力を表わしている。
【００２７】
ノードＮＯＤＥＢ＃１は、測定ＳＩＲを、基準値（すなわち、目標ＳＩＲ）に比較する。ノードＮＯＤＥＢ＃１は、測定ＳＩＲが目標ＳＩＲより小さい時は、前記信号の送信電力を上げさせるインクレメントコマンドを、ユーザエクイップメントＵＥのための下り専用物理制御チャネル（ｄｏｗｎｌｉｎｋ  ｄｅｄｉｃａｔｅｄ  ｐｈｙｓｉｃａｌ  ｃｏｎｔｒｏｌ  ｃｈａｎｎｅｌ）を用いて、ユーザエクイップメントＵＥに送信し、ユーザエクイップメントＵＥに前記信号の送信電力を上げさせる。ノードＮＯＤＥＢ＃１は、また、測定ＳＩＲが目標ＳＩＲより所定値（所定量）だけ大きい時（すなわち、測定ＳＩＲが目標ＳＩＲを過剰に超えている時）は、前記信号の送信電力を下げさせるデクレメントコマンドを、ユーザエクイップメントＵＥのための下り専用物理制御チャネルを用いて、ユーザエクイップメントＵＥに送信し、ユーザエクイップメントＵＥに前記信号の送信電力を下げさせる。
【００２８】
上りアウターループ電力制御では、無線ネットワークコントローラＲＮＣは、ノードＮＯＤＥＢ＃１が持っている目標ＳＩＲを、新しい基準値（すなわち、新しい目標ＳＩＲ）に、更新する。ノードＮＯＤＥＢ＃１の目標ＳＩＲを更新するためには、無線ネットワークコントローラＲＮＣは、ノードＮＯＤＥＢ＃１から送信されるレポートを受信することによって、ノードＮＯＤＥＢ＃１の周りの無線状態を知る必要がある。そのレポートは、無線状態が過剰品質（すなわち、品質が良すぎる状態、品質が過剰である状態のこと）であるか、或いは劣化品質（すなわち、品質が劣化している状態のこと）を表わしている。そのレポートを生成するためには、ノードＮＯＤＥＢ＃１は、一定の期間、前記ユーザエクイップメントＵＥからの上り信号のブロック・エラー・レシオ（ＢＬＥＲ：Ｂｌｏｃｋ  Ｅｒｒｏｒ  Ｒａｔｉｏ）を測定しなければならない。ノードＮＯＤＥＢ＃１は、そのブロック・エラー・レシオ（ＢＬＥＲ）の測定結果をレポートとして無線ネットワークコントローラＲＮＣに送信し、無線ネットワークコントローラＲＮＣは、そのレポートに従って、ノードＮＯＤＥＢ＃１の目標ＳＩＲを、新しい目標ＳＩＲに、更新する。
【００２９】
上述したように、ノードＮＯＤＥＢ＃１において、無線状態が過剰品質と判断するためには、測定のための時間がかかってしまう。
【００３０】
次に、図３を参照して、本発明の実施例による目標ＳＩＲ更新方法について説明する。
【００３１】
設定（ｓｅｔ）されてから、予め選択された時間（Ｔ：ウエイトタイマー値）、計時すると、タイムアウト信号を出力するウエイトタイマーが、予め、無線ネットワークコントローラＲＮＣ（図１）に設けられている。
【００３２】
図３のステージ（１）では、無線ネットワークコントローラＲＮＣはウエイトタイマー（Ｔ）を設定（ｓｅｔ）する。すなわち、無線ネットワークコントローラＲＮＣは、どれほど基準値（目標ＳＩＲ）を更新するのを待つかウエイトタイマー（Ｔ）を設定する。
【００３３】
図３のステージ（２）は、ウエイトタイマーがタイムアウト信号を出力する以前に、無線ネットワークコントローラＲＮＣがノードＮＯＤＥＢ＃１（図１）からレポートを受け取った場合である。無線ネットワークコントローラＲＮＣは、そのレポートから、ノードＮＯＤＥＢ＃１において測定されたブロック・エラー・レシオ（ＢＬＥＲ）の測定結果によって、ノードＮＯＤＥＢ＃１の周りの無線状態が過剰品質か、或いは劣化品質かを知る。
【００３４】
図３のステージ（７）は、無線ネットワークコントローラＲＮＣがノードＮＯＤＥＢ＃１からレポートを受け取る前に、ウエイトタイマーがタイムアウト信号を出力した場合である。
【００３５】
図３のステージ（３）では、無線ネットワークコントローラＲＮＣはウエイトタイマー（Ｔ）を再設定（ｒｅｓｅｔ）する。
【００３６】
図３のステージ（４）では、無線ネットワークコントローラＲＮＣはブロック・エラー・レシオ（ＢＬＥＲ）の測定結果に基づいて、新しい目標ＳＩＲを算出する。
【００３７】
図３のステージ（４’）では、無線ネットワークコントローラＲＮＣは現在の目標ＳＩＲよりも所定値だけ減少された目標ＳＩＲを算出する。
【００３８】
図３のステージ（５）では、無線ネットワークコントローラＲＮＣは、サービス品質（ＱＯＳ：Ｑｕａｌｉｔｙ  ｏｆ  Ｓｅｒｖｉｃｅ）及び他の外的要因を考慮して、新しいウエイトタイマー値（Ｔｎｏｗ＋ｄｔ）を現在のウエイトタイマー値（Ｔ）としてウエイトタイマーに設定（ｓｅｔ）する。
【００３９】
図３のステージ（６）では、無線ネットワークコントローラＲＮＣは、前記新しい目標ＳＩＲ或いは前記減少された目標ＳＩＲをノードＮＯＤＥＢ＃１に送信し、ノードＮＯＤＥＢ＃１は、現在の目標ＳＩＲを、前記新しい目標ＳＩＲ或いは前記減少された目標ＳＩＲに更新する。
【００４０】
このように上述した実施例による目標ＳＩＲ更新方法では、予め選択された時間、ノードＮＯＤＥＢ＃１の目標ＳＩＲの更新が行われなかった場合には、自立的に目標ＳＩＲを細かい刻みで、減少されたＳＩＲに更新することで、様々な無線環境（無線状態）にも対応できる。
【００４１】
図４に示したように、典型的には、無線ネットワークコントローラＲＮＣが、ノードＮＯＤＥＢ＃１の周りの無線状態が前述の過剰品質（すなわち、品質過剰）であると判断する前に（図４の▲２▼部分参照）、ノードＮＯＤＥＢ＃１の目標ＳＩＲは、ウエイトタイマーのタイムアウトにより、６、５に減少される（図４の▲１▼部分参照）。
【００４２】
【発明の効果】
以上説明したように本発明によれば、予め選択された時間、ノードの基準値（目標ＳＩＲ）の更新が行われなかった場合には自立的に基準値（目標ＳＩＲ）を細かい刻みで更新することで、様々な無線環境（無線状態）にも対応できるようにした目標ＳＩＲ更新方法が得られる。
【図面の簡単な説明】
【図１】本発明の一実施例による目標ＳＩＲ更新方法を実施する第３世代移動システムのブロック図である。
【図２】図１の第３世代移動システムにおいて送信電力制御として実行される、上りイナーループ電力制御及び上りアウターループ電力制御を説明するための図である。
【図３】本発明の上記実施例による目標ＳＩＲ更新方法を説明するためのフローチャートである。
【図４】本発明の上記実施例による目標ＳＩＲ更新方法を説明するためのタイムチャートである。
【符号の説明】
ＲＮＣ    無線ネットワークコントローラ
ＮＯＤＥＢ＃１    ノード
ＳＡ＃１    サービスエリア
ＵＥ    ユーザエクイップメント
ＮＯＤＥＢ＃２    ノード
ＳＡ＃２    サービスエリア
【図１】
0003546960.tif 000002
【図２】
0003546960.tif 000003
【図３】
0003546960.tif 000004
【図４】
0003546960.tif 000005